(57)【要約】      （修正有）【課題】吊り下げた商品包装袋を確実に保持できるようにして商品包装袋の落下を抑制することができ、信頼性を高めた吊り下げ具を提供する。【解決手段】吊り下げ具は、フック体Ａと、小物商品を内装する包装袋のトップカードＢとの組み合わせからなる。フック体Ａは鉤状のフック部１と、トップカードへの取付部２とで形成され、取付部２にはその左右両側に水平方向に延びる切り込み３、４が設けられており一方の切り込み３は上段水平部３ａと、下段水平部３ｂとによって略Ｚ状の形態で形成され、上段水平部３ａと他方の切り込み４とが同一水平線上に位置するように形成されており、他方の切り込み４の開口部近傍に係合凸部５が設けられ、トップカードＢはシート材をコの字形に折り込んで形成され、その頂壁６にフック体の取付部２を差し込んでフック体を取り付けるための矩形状の差込穴７と、フック体取り付け時に係合凸部５が係合する係合穴８とが設けられている。【選択図】図１
0003231755.tif 000002
【実用新案登録請求の範囲】
【請求項１】
薄板状のフック体と、前記フック体を取り付けるための頂壁が含まれるトップカード部が上部に設けられるとともに商品が内装される包装体とからなり、
前記フック体は、鉤状のフック部と、前記フック部の下側に延設されて前記頂壁に取り付ける取付部とで形成され、前記取付部にはその左右両側に水平方向に延びる切り込みが設けられており、これら切り込みのうち一方の切り込みは上段水平部と、その奥部に連なって一段下がって形成された下段水平部とによって略Ｚ状の形態で形成され、前記上段水平部と他方の切り込みとが同一水平線上に位置するように形成されており、更に、前記他方の切り込みの開口部近傍に前記他方の切り込みの下顎部から上向きに突出する係合凸部が設けられており、
前記トップカード部の頂壁には、前記フック体の取付部を差し込んで取り付けるための差込穴と、前記係合凸部が係合する係合穴とが別々に設けられている吊り下げ具。
【請求項２】
前記トップカード部はシート材をコの字状に折り込んだ三つの面からなり、その中央の面が前記頂壁となるようにして前記包装体の上部に固着される請求項１に記載の吊り下げ具。
【請求項３】
前記包装体の上部にコの字状に折り曲げられた三つの面からなるトップカード部が一体形成され、前記三つの面の中央の面が前記トップカード部の頂壁を兼ねるとともに、前記差込穴及び前記係合穴が形成される請求項１に記載の吊り下げ具。
【請求項４】
前記フック体のＺ状切り込みの下段水平部の最奥部と他方の切り込みの下顎部先端との間隔Ｌ１、並びに前記Ｚ状切り込みの上段水平部の最奥部と他方の切り込みの最奥部との間隔Ｌ２は、前記トップカードの差込穴の長辺の長さと等しいか若しくはやや小さく形成されている請求項１〜３のいずれかに記載の吊り下げ具。
【請求項５】
前記他方の切り込みの開口部の上縁部分を斜めに切除して開口部分の空間を広く形成するとともに、斜めに切除された部分を傾斜面として形成した請求項１〜４のいずれかに記載の吊り下げ具。
【請求項６】
前記フック体のフック部は、最大３０ｍｍφの吊り杆に吊り掛けることができる鉤状の形態で形成されている請求項１〜５のいずれかに記載の吊り下げ具。
【考案の詳細な説明】
【技術分野】
【０００１】
本考案は、例えば靴下や手袋、ハンカチ等の繊維製品、メモリーやＣＤ或いはモバイル用の各種小型備品などの精密電子製品のような、軽量の小物商品を内装した包装袋等を吊り下げて陳列販売するための吊り下げ具の改良に関する。
【背景技術】
【０００２】
従来から、この種の吊り下げ具は各種各様のものがあり、例えば本考案出願人に係る特許文献１で開示されている形態の吊り下げ具が周知であり、一般に広く利用されている。
この特許文献１で開示された吊り下げ具は、図５に示すように、フック体Ａ’と包装袋のトップカードＢ’とのセットで用いられる。フック体Ａ’は、合成樹脂材による薄板状の一体成形品であって、鉤状のフック部１１の裾部に左右に広がった取付部１２が形成されており、この取付部１２の両側に水平な切り込み１３、１４が設けられている。一方の切り込み、即ち図５の左側の切り込み１３は、上段水平部１３ａと、その奥部に連なって一段下がった下段水平部１３ｂとによって略Ｚ状の形態になっている。
トップカードＢ’は、厚紙をコの字状に折り込んだ三つの平面からなり、中央の（細幅の）面が頂壁１６を形成し、その頂壁１６の中央部にフック体を取り付けるための矩形状の差込穴１７が設けられている。なお、包装袋とトップカードとの固着方法については特に限定されず、トップカードや包装袋の材質等によって接着、貼着、溶着、縫着等が適宜採用される。
【０００３】
フック体Ａ’をトップカードＢ’に取り付ける場合は、フック体Ａ’を斜めにして左側の切り込み１３に差込穴１７の縁部（左壁）を差し込んで左方向にスライドさせていき、下段水平部１３ｂの奥部と縁部（左壁）とが当接するようにする。この状態でフック体Ａ’の右側を押し下げると、右側の切込み１４に差込穴１７の縁部（右壁）を入れ込むことができるようになり、差込穴１７の縁部（右壁）を切り込み１４に入れた状態でフック体Ａ’を右方向にスライドさせていき、切り込み１４の奥部と縁部（右壁）とが当接するようにする。これにより、フック体Ａ’の切り込み１３（上段水平部１３ａ）に差込穴１７の左壁が差し込まれるとともに、フック体Ａ’の切り込み１４に差込穴１７の右壁が差し込まれた状態で、トップカードＢ’の位置が固定されてフック体Ａ’に取り付けられる（特許文献１の図５（イ）〜図５（ハ）参照）。
【先行技術文献】
【特許文献】
【０００４】
【特許文献１】実用新案登録第３１５４３８１号公報
【考案の概要】
【考案が解決しようとする課題】
【０００５】
上記の吊り下げ具は、トップカードへの取り付け操作が容易であり、かつ、係止のための弾性片などを有しない簡素な構成であることから一般に広く利用されている。しかし、取り付けが容易である反面、客が商品包装袋を触ったり、商品陳列棚を移動する場合にフック体が振動したりして、取り付けるときとは逆の動き、すなわち、フック体Ａ’の左方向へのスライド（このとき差込穴１７の左壁が下段水平部１３ｂに入り込む）、フック体Ａ’の右側の上昇（このとき差込穴１７の右壁が切込み４から抜け出る）、右方向へのスライドがこの順で生じると、トップカードの差込穴１７から抜けて商品包装袋が落下する可能性があった。
【０００６】
包装袋内の商品が靴下などの繊維製品であれば落下によるダメージは小さいが、近年多く利用されているメモリーやＣＤ或いはモバイル用の各種小型備品等のような精密電子製品が内装されている場合は、落下によって損傷を受けることがあるため、落下を確実に阻止して信頼性をさらに高める必要がある。
【０００７】
そこで本考案は、吊り下げた商品包装袋を確実に保持できるようにして商品包装袋の落下を抑制することができ、信頼性を高めた吊り下げ具を提供することを目的とする。
【課題を解決するための手段】
【０００８】
上記課題を解決するために、本考案では次のような技術的手段を講じた。即ち、本考案の吊り下げ具は、薄板状のフック体と、前記フック体を取り付けるための頂壁が含まれるトップカード部が上部に設けられるとともに商品が内装される包装体とからなり、
前記フック体は、鉤状のフック部と、前記フック部の下側に延設されて前記頂壁に取り付ける取付部とで形成され、前記取付部にはその左右両側に水平方向に延びる切り込みが設けられており、これら切り込みのうち一方の切り込みは上段水平部と、その奥部に連なって一段下がって形成された下段水平部とによって略Ｚ状の形態で形成され、前記上段水平部と他方の切り込みとが同一水平線上に位置するように形成されており、更に、前記他方の切り込みの開口部近傍に前記他方の切り込みの下顎部から上向きに突出する係合凸部が設けられており、
前記トップカード部の頂壁には、前記フック体の取付部を差し込んで取り付けるための差込穴と、前記係合凸部が係合する係合穴とが別々に設けられている構成とした。
【０００９】
ここで、前記トップカード部はシート材をコの字状に折り込んだ三つの面からなり、その中央の面が前記頂壁となるようにして前記包装体の上部に固着されるようにしてもよい。ここでシート材としては、厚紙、プラスチック、樹脂シート等で、コの字状に折り込むことができる材料であればよい。
また、前記包装体の上部にコの字状に折り曲げられた三つの面からなるトップカード部が一体形成され、前記三つの面の中央の面が前記トップカード部の頂壁を兼ねるとともに、前記差込穴及び前記係合穴が形成されるようにしてもよい。すなわち、包装体の上部（上辺）に差込穴、係合穴を形成して、トップカード部を包装体自体で形成するようにしてもよい。
【００１０】
上記構成において、前記トップカード部のＺ状切り込みの下段水平部の最奥部と他方の切り込みの下顎部先端との間隔Ｌ１、並びに前記Ｚ状切り込みの上段水平部の最奥部と他方の切り込みの最奥部との間隔Ｌ２は、前記トップカード部の差込穴の長辺の長さと等しいかやや小さく形成するのがよい。
【考案の効果】
【００１１】
上記のごとく構成された吊り下げ具は、トップカード部への取り付け操作が容易であり、かつ、簡素な構成でありながら、フック体をトップカード部に取り付けたときに、フック体の係合凸部がトップカード部の係合穴に係合してフック体の左右方向への移動が阻止されるので、フック体が押し込み位置に戻って差込穴から上方に抜け出るようなことがなくなる。これにより、トップカード部に保持された商品包装袋に振動などが加えられてもこれまで以上にフック体から外れにくくなり、特にメモリーやＣＤ、モバイル用の各種小型備品などのような精密電子製品などの商品でも安心して取り付けることができるという効果を奏する。
【００１２】
本考案において、他方の切り込みの開口部の上縁部分を斜めに切除して開口部分の空間を広く形成するとともに、斜めに切除された部分を傾斜面として形成するのがよい。
これにより広がった開口部内で係合凸部を高くすることができて、係合凸部と係合穴との係合をより確実に行うことができる。また、傾斜面は、取り付け時にトップカード部の差込穴の端縁部分を他方の切り込みの奥部に誘導するガイド面として機能し、容易に端縁部分を当該切り込みに係入することができる。
【００１３】
本考案において、フック体のフック部は、最大３０ｍｍφの吊り杆まで吊り掛けることができる鉤状の形態で形成するのがよい。
これにより、３０ｍｍφ以下各種サイズの吊り杆に対して広範囲にフック体を吊り掛けして使用することができる。
【図面の簡単な説明】
【００１４】
【図１】本考案に係る吊り下げ具の一実施例を示す斜視図。
【図２】上記吊り下げ具におけるフック体の正面図。
【図３】上記吊り下げ具の使用状態を示す一部断面図。
【図４】包装体にトップカード部を一体的に形成した変形例を示す斜視図。
【図５】従来の吊り下げ具を示す斜視図。
【考案を実施するための形態】
【００１５】
以下、本考案の詳細を図１〜図３に示した実施例に基づいて説明する。
本考案の吊り下げ具は、フック体Ａと、小物商品を内装する包装袋のトップカードＢとの組み合わせからなる。
【００１６】
フック体Ａは、合成樹脂材を用いた薄板状の一体成形品であって、鉤状のフック部１と、このフック部１の下部に形成されトップカードＢへ取り付けるための取付部２とを備えている。
【００１７】
取付部２にはその左右両側に水平な切り込み３、切り込み４が設けられており、これら切り込みのうち一方の切り込み、本実施例では図の左側の（第一の）切り込み３が、上段水平部３ａと、その奥部に連なって一段下がった下段水平部３ｂとによって略Ｚ状の形態で形成されている。このＺ状の切り込み３の上段水平部３ａと右側の（第二の）切り込み４とが同一水平線上に位置するように形成されている。また、右側の切り込み４の開口部分には当該切り込み４の下顎部４ａから上向きに突出する係合凸部５が設けられている。
【００１８】
トップカードＢは、図１に示すように、形状維持可能な硬さの紙、プラスチック、合成樹脂などのシート材をコの字形に折り込んで三つの面が形成され、三面のうち細幅の中央の面が頂壁６を形成し、その頂壁６に上記フック体Ａの取付部２の一部を差し込んで取り付けるための矩形状の差込穴７と、フック体Ａを取り付けたときに係合凸部５が係合する係合穴８とが設けられている。トップカードＢは商品を内装する包装袋Ｃ(図３（ａ）参照)の上部に固着するようにして用いられる。
【００１９】
上記したＺ状切り込み３の下段水平部３ｂの最奥部と他方の切り込み４の下顎部４ａの先端との間隔Ｌ１、並びに上段水平部３ａの最奥部と他方の切り込み４の最奥部との間隔Ｌ２は、前記トップカードＢの差込穴６の長辺の長さと略等しいか若しくはやや小さく形成されている。
【００２０】
上記フック体Ａの鉤状フック部１は、最大３０ｍｍφの吊り杆まで吊り掛けることができる寸法並びに形状で形成されている。これにより、３０ｍｍφ以下各種サイズの吊り杆にフック体を吊り掛けして使用することができる。
【００２１】
次に、上記のフック体ＡをトップカードＢに取り付ける手順について、図３を参照にして説明する。
先ず、フック体Ａを左に傾けて、トップカードＢの差込穴７の縁部７ａに連なる頂壁部分がＺ状切り込みの下段水平部３ｂの奥部まで入り込むように左方向に押し込んで図３（ａ）の状態にする。この状態において、下段水平部３ｂの最奥部と他方の切り込み４の下顎部４ａの先端との間隔Ｌ１が、差込穴７の長辺の長さと等しいか若しくはやや小さく形成されているので、矢印方向に押し込むことによって、図３（ｂ）に示すように、フック体の下部取付部２の下方部分を差込穴に押し込むことができる。この姿勢でフック体Ａを矢印で示す右方向にスライドさせることで、図３(ｃ)で示すように、差込穴７の他方の縁部７ｂに連なる頂壁６を左側の切り込み４に係入させ、同時にフック体の係合凸部５をトップカードの係合穴８に係合させる。これにより、フック体Ａの横方向への移動が阻止されて、上方に抜け出ることがなくなる。
【００２２】
また、Ｚ状切り込み３の上段水平部３ａの最奥部と他方の切り込み４の最奥部との間隔Ｌ２が、差込穴７の長辺の長さと等しいか若しくはやや小さく形成されているので、図３（ｃ）の取付姿勢において、フック体Ａの上記間隔Ｌ２を占める部分が差込穴７に嵌まり込んでフック体Ａの安定した水平姿勢を保持することができる。
【００２３】
本考案において、右側の切り込み４の開口部の上縁部分を斜めに切除して開口部分の空間を広く形成するとともに、斜めに切除された部分を傾斜面４ｂとして形成するのがよい。これにより広がった開口部内で係合凸部５を高くすることができて、係合凸部５と係合穴８との係合をより確実に行うことができる。また、傾斜面４ｂは、取り付け時にトップカードの差込穴７の端縁７ｂを切り込み４の奥部に誘導するガイド面として機能し、容易に端縁部分を切り込み４に係入することができる。
【００２４】
以上のように本考案によれば、トップカードＢへの取り付け操作が容易であり、かつ、係止のための弾性片などを有しない簡素な構成でありながら、フック体Ａをトップカードに取り付けたときに、フック体の係合凸部５がトップカードの係合穴８に係合してフック体の左右方向への移動が阻止されるので、フック体が押し込み位置に戻って差込穴から上方に抜け出ることが無くなり、これによりトップカードに保持された商品包装袋が振動などによりフック体から外れて落下するようなことを未然に防止することができる。
【００２５】
また、本考案において、図４に示すように、商品を包装する包装体Ｄを箱状に形成し、その頂壁６’に差込穴７と係合穴８とを設けてトップカードＢ部分を包装体Ｄと一体的に形成するようにしてもよい（この場合、頂壁６’とこれを挟んだ二つの側壁面とでトップカード部を構成する）。
【００２６】
以上、本考案の代表的な実施例について説明したが、本考案は必ずしも上記の実施形態に特定されるものではない。例えば、上記実施例では、Ｚ状の切り込み３を図２の左側に位置するように設けたが、逆向きに、即ち、右側に位置するように形成してもよい。その他本考案では、本考案の目的を達成し、請求の範囲を逸脱しない範囲内で適宜修正、変更することが可能である。
【産業上の利用可能性】
【００２７】
本考案は、商品を内装した包装袋を吊り下げて展示販売するための吊り下げ具として利用することができる。
【符号の説明】
【００２８】
Ａ  フック体
Ｂ  トップカード
１  フック部
２  取付部
３  Ｚ状の切り込み
３ａ  上段水平部
３ｂ  下段水平部
４  他方の切り込み
４ａ  下顎部
４ｂ  傾斜面
５  係合凸部 
６、６’  頂壁
７  差込穴
８  係合穴
【図１】
0003231755.tif 000003
【図２】
0003231755.tif 000004
【図３】
0003231755.tif 000005
【図４】
0003231755.tif 000006
【図５】
0003231755.tif 000007